【事件の表示】
　特許第２８１４１８５号「薬物含有粘着シート用包材」の特許に対する特許異議の申立てについて、次のとおり決定する。
【結　論】
　訂正を認める。
　特許第２８１４１８５号の請求項１ないし８に係る特許を維持する。
【理　由】
〔１〕手続の経緯
　特許第2814185号に係る本件発明は、平成５年９月10日に特許出願され、平成10年８月14日に特許権の設定登録がされた後、その特許について、特許異議申立人山田敬子より特許異議の申立てがされ、取消理由通知がされ、その指定期間内である平成12年３月２日に訂正請求がされたものである。
〔２〕訂正請求の適否についての判断
　ア.訂正の内容
　特許権者が求めている訂正の内容は、以下のとおりである。　
　ａ.特許請求の範囲の請求項１に記載される「粘着剤層中に経皮吸収性薬物を含有してなる薬物含有シート」を「支持体と、経皮吸収性薬物を含有してなる粘着剤層と、セパレータとの積層構造体からなる薬物含有粘着シート」と訂正する。
　b.発明の詳細な説明中の【0005】の「これらの問題点を解決する方法として、・・・を設ける。」を、「これらの問題点を解決する方法として、例えばセパレータの大きさを大きくする。大きくしたセパレータの外周縁の突起状部、いわゆる堤防を設ける。などの方法がある。」と訂正する。
　ｃ.発明の詳細な説明中の【0010】の「本発明の薬物含有粘着シート用包材は、・・・を特徴とする。」を、「本発明の薬物含有粘着シート用包材は、支持体と、経皮吸収性薬物を含有してなる粘着剤層と、セパレータとの積層構造体からなる薬物含有粘着シートを封入するための包材であって、この包材の内面には凹凸が形成されていることを特徴とする。」と訂正する。
　イ.訂正の目的の適否、新規事項の有無及び拡張・変更の存否
　上記aの訂正は、願書に添付した明細書又は図面の段落【0023】に「図１および図２において、本発明の薬物含有粘着シート用包材１は、薬物含有粘着シート２を内包するためのものであり、この薬物含有粘着シート２は各種プラスチックシートや不織布、金属箔、もしくはこれらの複合シートなどからなる支持体３と、経皮的に体内へ吸収することができる公知の経皮吸収用薬物を含有するアクリル系や、ゴム系、シリコーン系、ビニルエーテル系などの重合体を主体とする粘着剤層４と、プラスチックシートや紙などの表面に剥離処理を施したセパレータ５との積層構造体からなる。」と記載され、図２に図示されており、「粘着剤層中に経皮吸収性薬物を含有してなる薬物含有シート」は「支持体と、経皮吸収性薬物を含有してなる粘着剤層と、セパレータとの積層構造体からなる薬物含有粘着シート」であることは、特許明細書の記載及び図２から明らかであるから、上記訂正は、願書に添付した明細書に記載されている事項を明記したにすぎないものである。そして、上記訂正は、願書に添付した明細書に記載された事項の範囲内において、「粘着剤層中に経皮吸収性薬物を含有してなる薬物含有シート」を「支持体と、経皮吸収性薬物を含有してなる粘着剤層と、セパレータとの積層構造体からなる薬物含有粘着シート」と訂正するものであるから、明りょうでない記載の釈明を目的とするものであって、新規事項の追加に該当しない。
　上記ｂ、cの訂正は、上記訂正ａの記載と整合するために訂正するものであって、明りょうでない記載の釈明に相当するものである。
　そして、上記いずれの訂正も実質上特許請求の範囲を拡張し、又は変更するものでない。
　ウ.独立特許要件
１）本件請求項１〜８に係る発明
　平成12年３月２日付けで提出された訂正明細書の請求項１〜８に係る発明（以下、「本件請求項１に係る発明」等という。）は、その特許請求の範囲の請求項１〜８に記載された次のとおりのものである。
「【請求項１】支持体と、経皮吸収性薬物を含有してなる粘着剤層と、セパレータとの積層構造体からなる薬物含有粘着シートを封入するための包材であって、この包材の内面には凹凸が形成されていることを特徴とする薬物含有粘着シート用包材。
【請求項２】包材の内面における凹凸が凹凸ロール加工によって形成されている請求項１に記載の薬物含有粘着シート用包材。
【請求項３】包材の内面における凹凸が印刷によって形成されている請求項１に記載の薬物含有粘着シート用包材。
【請求項４】包材の内面における凹凸が、発泡性樹脂で形成されたインキを用いて印刷され、且つこの印刷部の発泡によって形成されている請求項３に記載の薬物含有粘着シート用包材。
【請求項５】包材の内面における凹凸が、包材の内面に積層した凹凸形成部材によって形成されている請求項１に記載の薬物含有粘着シート用包材。
【請求項６】凹凸形成部材が、織布又は不織布である請求項５に記載の薬物含有粘着シート用部材。
【請求項７】包材の内面における凹凸において、この凸部が内面全体の５〜８５％である請求項１ないし６のいずれかに記載の薬物含有粘着シート用包材。
【請求項８】凸部の高さが２〜2000μｍである請求項１ないし７のいずれかに記載の薬物含有粘着シート用包材。」
２）刊行物に記載された発明
　刊行物１（実願昭61-172861号（実開昭63-78031号）のマイクロフィルム）には、「内面がポリアクリトロニトリル系フィルムから成る袋の内面に、基材シートに経皮吸収剤含有粘着剤を塗工して成る経皮吸収剤シートの粘着剤面を、剥離容易に貼着すると共に、この袋を密封して成ることを特徴とする経皮吸収剤の包装体。」（実用新案登録請求の範囲）、「本考案の包装体においては、基材シート１に塗布された経皮吸収剤含有粘着層２は、ポリアクリロニトリル系樹脂からなる保護フィルム兼個包装体３に包装され四方をシールすることにより密封包装されている。・・・更にこの個包装体は数個〜10ケ程度集積されて、遮光性、水蒸気バリヤ性包材（４および５）に包装される。」（明細書第４頁第10〜20行）こと、「遮光性水蒸気バリヤ性包材（４及び５）としては従来用いられて・・・紙５等を用いると安価である。」（明細書５頁末行〜第６頁第４行）こと、「尚、本考案において、アクリロニトリルフィルムは、表面がミラー状のみならず、マット調又は、エンボス状であっても良い。（第２図）」（第６頁第５〜７行）と記載され、第１図及び第２図に図示されている。
３）対比・判断
　(1)特許法第29条第１項第３号について
　本件請求項１に係る発明と刊行物１に記載された発明を対比すると、刊行物１には「アクリロニトリルフィルムがエンボス状であ」ることが記載されているが、このアクリロニトリルフィルムは包材とセパレータを兼用しているのに対して、本件請求項１に係る発明はセパレータと凹凸を設けた包材とを別体としているから、刊行物１に記載された発明は、本件請求項１に係る発明の必須構成である「支持体と、経皮吸収性薬物を含有してなる粘着剤層と、セパレータとの積層構造体からなる薬物含有粘着シートを封入するための包材」の構成を具備していない点で相違する。
　そして、本件請求項１に係る発明は、上記構成を具備することによって、「側面からの糊はみ出しが起こりやすい薬物含有粘着シートや、可塑剤や液状成分がにじみ出しやすい薬物含有粘着シートを包装した場合にも包材の内面に粘着或いは付着しにくくなるので、内包された薬物含有粘着シートを使用する際に取り出し易い」という明細書に記載の作用効果を奏するものと認められる。
　したがって、本件請求項１に係る発明は、刊行物１に記載された発明とは認められないから、特許法第29条第１項第３号の規定に違反しない。
　(2)特許法第29条第２項について
　本件請求項２に係る発明は、請求項１を引用しているから、刊行物１に記載された発明と対比すると、上記のように、刊行物１に記載された発明は、本件請求項１に係る発明の必須構成である「支持体と、経皮吸収性薬物を含有してなる粘着剤層と、セパレータとの積層構造体からなる薬物含有粘着シートを封入するための包材」の構成を具備していない点で相違する。
　そして、本件請求項２に係る発明は、上記構成を具備することによって、「側面からの糊はみ出しが起こりやすい薬物含有粘着シートや、可塑剤や液状成分がにじみ出しやすい薬物含有粘着シートを包装した場合にも包材の内面に粘着或いは付着しにくくなるので、内包された薬物含有粘着シートを使用する際に取り出し易い」という明細書に記載の作用効果を奏するものと認められる。
　したがって、本件請求項２に係る発明は、刊行物１に記載された発明に基づいて当業者が容易に発明をできたものとは認められない。
　同じく請求項７、８に係る発明は、いずれも請求項１に係る発明を引用するものであるから、請求項２に係る発明に対する判断と同様の理由により刊行物１に記載された発明から当業者が容易に発明をすることができたものとは認められない。
　したがって、訂正明細書の請求項１、２、７、８に係る発明は、特許出願の際独立して特許を受けることができない発明とすることはできない。
エ.むすび
　以上のとおりであるから、上記訂正は、特許法第120条の４第２項及び同条第３項において準用する同法第126条第２〜４項の規定に適合するので、当該訂正を認める。
〔３〕特許異議の申立てについて
　ア.本件請求項１〜８に係る発明
　本件請求項１〜８に係る発明は、上記〔２〕ウ.１）に記載されたとおりである。
　イ.申立ての理由の概要
　特許異議申立人山田敬子は、本件請求項１、２、７、８に係る発明は、甲第１号証（上記刊行物１と同じ。）に記載された発明であるから、特許法第29条第１項第３号の規定に違反し、又は本件請求項１〜８に係る発明は、甲第１号証、甲第２号証（実願昭51-83641号（実開昭53-2451号）のマイクロフィルム）、甲第３号証（特公平２-1506号公報）に記載された発明に基づいて、当業者が容易に発明をすることができたものであるから、特許法第29条第２項の規定に違反し、特許を取り消すべきであると主張している。
　ウ.甲号各証に記載された発明
　甲第１号証（刊行物１）は、上記〔２〕ウ.２）に記載されたとおりである。
　甲第２号証には、「一軸延伸により製造したポリエチレンフィルムのシート(1)に絹目、格子状その他の凹凸模様(2)を形成したラベル等の剥離用台紙。」（実用新案登録請求の範囲）、「合成樹脂シートを剥離台紙として用いることが行われるようになっている。しかし乍らこの合成樹脂シートは表面が平滑であり、しかもその表面に剥離のための特別の処理を施していないので剥離作業がスムーズに行われにくく、ややもするとラベルの裏面に塗布された感圧性接着剤の一部がフィルム面に残留附着するということがあった。」（第２頁第５〜１２行）こと、「特に本考案は前記した凹凸模様(2)を形成することにより、裏面に接着剤(4)を塗布したラベル(3)との接着が凹凸模様(2)の突出面と第一次的に接着するので剥離面積も軽減されて剥離作業も容易に行えるようになり、従来の平滑フィルムからなる剥離台紙では期待することのできなかった画期的な効果を奏することができる。」（第３頁第13行〜第４頁第４行)と記載され、第１図および第２図に図示されている。
　甲第３号証には、「１　軟質塩化ビニル樹脂製の壁で形成された扁平にし得る医療用具において、該医療用具を扁平にしたとき少なくとも互いに接触する(a)内壁を平均粒径が0.5〜150μmの架橋塩化ビニル樹脂1.5〜60重量％を分散させた軟質塩化ビニル樹脂組成物より形成して該内壁表面に微小な凹凸を形成し、かつ(b)外壁を架橋塩化ビニル樹脂を1.5重量％未満含有する軟質塩化ビニル樹脂より形成したことを特徴とする医療用具。　
               （第２項ないし第３項は省略）
４　凹凸の山の平均高さは１〜45μmである特許請求の範囲第１項ないし第３項のいずれか一つに記載の医療用具。」（特許請求の範囲）、「本発明の医療用具は、その内壁が上記のごとき架橋塩化ビニル樹脂粒子を含有する軟質塩化ビニル樹脂組成物により構成されており、該架橋塩化ビニル樹脂粒子が医療用具の内表面をエンボスしている。このため、医療用具の内面相互間のブロッキングは阻止される。」（第10欄第26〜31行）こと、「このような軟質塩化ビニルフィルムにおけるブロッキングを防止する方法としては、例えば、軟質塩化ビニル樹脂フィルム加工において、シート引き取り機に付属するロール表面にエンボスを施し、シートの片面に、エンボスを移し取る方法がある。」（第３欄第３〜８行）こと、「一方、本発明の医療用具の外壁３は、一般に未架橋の軟質塩化ビニル樹脂のみか、あるいは架橋塩化ビニル樹脂を1.5重量％未満含む層で構成される。外壁が未架橋の軟質塩化ビニル樹脂のみよりなる層であると、外壁面は鏡面となり、医療用具内に液体を収容したときの透明性は極めて優れたものとなる反面、製造過程で成型した後、シートをローラーに巻きつけた際にブロッキングを起こしローラーにより剥がれにくくなるため作業能率が低下し、また保存運搬時において他の医療用具等とブロッキングを起こし、さらに手で触れた感触が梨地よりも劣る等の欠点を有している。これに対して架橋塩化ビニル樹脂を1.5重量％未満含む軟質塩化ビニル樹脂よりなる層であると、外面の平滑性は保たれており、他の医療用具等とのブロッキングが防止できるとともに光の乱反射が極めて少なく、医療用具内に液体を収容したときに透明性が高くなり内部を目視により容易に確認することが可能である。従って外壁３は好ましくは、架橋塩化ビニル樹脂を1.5重量％未満、特に好ましくは、0.05％以上でかつ1.5重量％未満含有する軟質塩化ビニル樹脂よりなる層で構成される。」(第８欄第11〜33行）こと、「透析用バッグ、輸液用バッグ、血液バッグなどのような袋状の医療用具」（第１０欄第１６、１７行）が第１〜４図とともに記載されている。
　エ.対比・判断
　本件請求項１に係る発明と甲第１号証に記載された発明との対比については、上記〔２〕ウ.３）のとおりである。
　また、甲第２号証に記載された発明は、ラベル等の剥離台紙であり、甲第３号証に記載された発明は、輸液バッグ、血液バッグ等の医療用具であるから、これらは本件請求項１に係る発明の薬物含有粘着シートを封入する包材ではないうえに、その内面には凹凸が形成されていない。
　したがって、甲第２、３号証に記載された発明を甲第１号証に記載された発明に組み合わせても、本件請求項１に係る発明に到達し得ないから、本件請求項１に係る発明は、甲第１〜３号証に記載の発明に基づいて当業者が容易に発明をすることができたものとはいえない。
　また、請求項２〜８に係る発明は、いずれも請求項１に係る発明をさらに減縮したものであり、請求項１に係る発明に対する判断と同様の理由により、甲第１〜３号証に記載の発明に基づいて当業者が容易に発明をすることができたものとはいえない。
〔４〕むすび
　以上のとおりであるから、特許異議申立ての理由及び証拠によっては本件請求項１〜８に係る発明についての特許を取り消すことはできない。
　また、他に本件特許を取り消すべき理由を発見しない。
　よって、結論のとおり決定する。
【異議決定日】
平成１２年５月２９日（２０００．５．２９）
【訂正の要旨】
訂正の要旨
　ａ．特許請求の範囲の請求項１に記載される「粘着剤層中に経皮吸収性薬物を含有してなる薬物含有シート」を「支持体と、経皮吸収性薬物を含有してなる粘着剤層と、セパレータとの積層構造体からなる薬物含有粘着シート」と訂正する。
　ｂ．発明の詳細な説明中の【０００５】の「これらの問題点を解決する方法として、・・・を設ける。」を、「これらの問題点を解決する方法として、例えばセパレータの大きさを大きくする。大きくしたセパレー夕の外周縁の突起状部、いわゆる堤防を設ける。などの方法がある。」と訂正する。
　ｃ．発明の詳細な説明中の【００１０】の「本発明の薬物含有粘着シート用包材は、・・・を特徴とする。」を、「本発明の薬物含有粘着シート用包材は、支持体と、経皮吸収性薬物を含有してなる粘着剤層と、セパレータとの積層構造体からなる薬物含有粘着シートを封入するための包材であって、この包材の内面には凹凸が形成されていることを特徴とする。」と訂正する。
（５４）【発明の名称】
薬物含有粘着シート用包材
（５７）【特許請求の範囲】
　【請求項１】　
支持体と、
粘着剤層と、セパレータとの積層構造体からなる
　【請求項２】　包材の内面における凹凸が凹凸ロール加工によって形成されている請求項１に記載の薬物含有粘着シート用包材。
　【請求項３】　包材の内面における凹凸が印刷によって形成されている請求項１に記載の薬物含有粘着シート用包材。
　【請求項４】　包材の内面における凹凸が、発泡性樹脂で形成されたインキを用いて印刷され、且つこの印刷部の発泡によって形成されている請求項３に記載の薬物含有粘着シート用包材。
　【請求項５】　包材の内面における凹凸が、包材の内面に積層した凹凸形成部材によって形成されている請求項１に記載の薬物含有粘着シート用包材。
　【請求項６】　凹凸形成部材が、織布又は不織布である請求項５に記載の薬物含有粘着シート用包材。
　【請求項７】　包材の内面における凹凸において、この凸部が内面全体の５〜８５％である請求項ないし６のいずれかに記載の薬物含有粘着シート用包材。
　【請求項８】　凸部の高さが２〜２０００μｍである請求項１ないし７のいずれかに記載の薬物含有粘着シート用包材。
【発明の詳細な説明】
　【０００１】
　　【産業上の利用分野】
　本発明は薬物を経皮投与するための薬物含有粘着シートを包装するために用いられる薬物含有粘着シート用包材に関する。
　【０００２】
　　【従来の技術】
　近年、薬物を生体内へ投与する手段として、薬物含有粘着シートを生体に貼付する経皮吸収方法が採用されている。このような薬物含有粘着シートはポリエステルやポリエチレンなどのプラスチック製の支持体の片面に、経皮吸収用薬物を含有させた粘着剤層を積層し、露出する粘着剤層面をセパレータにて被覆してなるものである。通常、このような薬物含有粘着シートは含有する薬物の揮散の防止や湿度に対する影響を防ぐために、薬物を水分に対して不透過性の包材にて個別包装されている。
　【０００３】
　ところで、上記のように包装した場合、薬物含有粘着シートの端面からはみ出して包材の内面や支持体の背面に粘着し、使用時に薬物含有粘着シートを取り出しにくくなることがある。
　【０００４】
　また、粘着剤層中に可塑剤や粘着付与剤、液状成分などを含有する場合には、これらの物質が粘着剤層の端面からにじみ出して支持体やセパレータの背面更に包材の内面に付着（回り込み）し、その結果、包材の内面に薬物含有粘着シートが貼り付いてしまい、やはり薬物含有粘着シートを取り出し難くなるという問題がある。
　【０００５】
　これらの問題点を解決する方法として、例えば▲１▼セパレー夕の大きさを大きくする。▲２▼大きくしたセパレータの外周縁に突起状部、いわゆる堤防を設ける。
などの方法がある。
　【０００６】
　　【発明が解決しようとする課題】
　しかしながら、上記▲１▼の方法では粘着剤のはみ出しや、セパレータ背面への可塑剤などの付着（回り込み）は防止できるが、支持体側への付着（回り込み）が防止できない。
　【０００７】
　又、上記▲２▼の方法は有効な方法ではあるが、剥離紙が大きいことによる歩留り低下や、セパレータの外周縁に突起状部を設けるために特殊な装置が必要となる結果、コスト高の問題がある。
　【０００８】
　本発明は、上記技術的課題を解決するために完成されたものあって、包材内面への薬物含有粘着シートの貼り付きがなく、使用時に薬物含有粘着シートを至極容易に取り出せる上、歩留りの低下やコスト高とならない薬物含有粘着シート用包材を提供することを目的とする。
　【０００９】
　　【課題を解決するための手段】
　本発明者らは、上記目的を達成するために検討を重ねた結果、包材の内面に凹凸を設けると、薬物含有粘着シートと包材の内面との実質的接触面積が少なくなって薬物含有粘着シートの貼り付きが効果的に防止されることを見い出し、本発明を完成するに至ったものである。
　【００１０】
　本発明の薬物含有粘着シート用包材は、
支持体と、
粘着剤層と、セパレータとの積層構造体からなる
　【００１１】
　即ち、本発明の特徴は、薬物含有粘着シートを封入するための包材の内面に凹凸が形成されている点にあり、この凹凸の形成方法としては特に設定されるものではない。
　【００１２】
　又、この包材を形成するための材料としては薬物の蒸散や湿気が透過しないものであれば特に限定されるものではなく、この包材は単層或いは複数層の積層体で形成されても良いものである。
　【００１３】
　本発明において、包材の内面における凹凸ロール加工によって形成されているものが有益である。この場合、包材の内面に凹凸を形成する際に、包材形成用のフィルムやシートに孔や傷ができるのを防ぐために湾曲状の凹凸を形成するのが望ましい。
　【００１４】
　又、本発明の薬物含有粘着シート用包材においては、包材の内面における凹凸が印刷によって形成されても良いのである。この場合、この包材の内面における凹凸が、発泡性樹脂で形成されたインキを用いて印刷され、且つこの印刷部の発泡によって形成されているものが、発泡剤の種類や配合割合を調節することによって、発泡量、つまり凹凸の高さを任意に変更できるので有益である。
　【００１５】
　更に、本発明の薬物含有粘着シート用包材においては、包材の内面における凹凸が、包材の内面における凹凸が、包材の内面に積層した凹凸形成部材によって形成されているものも有益である。この凹凸形成部材としては特に限定されるものではないが、特に織布又は不織布が廉価であり、しかも熱可塑性樹脂で形成されたものであれば容易にラミネートできるので望ましい。
　【００１６】
　本発明の薬物含有粘着シート用包材においては、包材の内面における凹凸において、この凸部が、内面全体に対してどの程度の割合にするかは粘着剤の種類や組成によって異なるので特に限定されるものではないが、特に、この凸部が内面全体の５〜８５％であるものが望ましく、凸部の面積が、５％未満になると、凹部と薬物含有粘着シートが接触し易くなる結果、薬物含有粘着シートとの接触面積、つまり粘着面積或いは付着面積が大となって当該薬物含有粘着シートが使用時に取り出しにくくなることがあるので好ましくない。
　【００１７】
　本発明の薬物含有粘着シート用包材１においては、薬物含有粘着シートの粘着防止或いは付着防止、ヒートシール部の密閉性の確保又は嵩張り等の観点から、凸部の高さは２μｍ以上であれば特に限定されるものではないが、凸部の高さが、２〜２０００μｍの範囲、特に２〜１０００μｍの範囲であるものが望ましく、凸部の高さが、２μｍ未満では低すぎて、薬物含有粘着シートの粘着防止或いは付着防止の確保の点から、凸部を設けた意味がない場合があり、一方、２０００μｍを超えるとその形成が困難になったり、ヒートシール部の密閉性の確保又は嵩張り、コスト等の観点から好ましくない場合がある。
　【００１８】
　ところで、本発明の薬物含有粘着シート用包材における内面の凹凸において、凸部のピッチが、薬物含有粘着シートの粘着防止或いは付着防止等の観点から、０．１〜２０ｍｍのものが有益である。
　【００１９】
　　【作用】
　本発明の薬物含有粘着シート用包材は、上記構成を有し、薬物含有粘着シートを封入するための包材の内面には凹凸が形成されているので、薬物含有粘着シートと包材の内面との実質的接触面積或いは付着面積が少なくなって当該薬物含有粘着シートが使用時に至極取り出せる作用を有するのである。
　【００２０】
　　【実施例】
　以下、本発明を実施例図面に基づき詳細に説明するが、本発明はこれに限定されるものではない。
　【００２１】
　図１は本発明の薬物含有粘着シート用包材を示す斜視図であり、図２は図１のＸ−Ｘ’線での断面図である。
　【００２２】
　図３〜図６は本発明の薬物含有粘着シート用包材のそれぞれ他の実施例を示す斜視図である。
　【００２３】
　図１および図２において、本発明の薬物含有粘着シート用包材１は、薬物含有粘着シート２を内包するためのものであり、この薬物含有粘着シート２は各種プラスチックシートや不織布、金属箔、もしくはこれらの複合シートなどからなる支持体３と、経皮的に体内へ吸収することができる公知の経皮吸収用薬物を含有するアクリル系や、ゴム系、シリコーン系、ビニルエーテル系などの重合体を主体とする粘着剤層４と、プラスチックシートや紙などの表面に剥離処理を施したセパレータ５との積層構造体からなる。尚、この薬物含有粘着シート用包材１の周縁部はヒートシール部６の形成によって、薬物含有粘着シート２が密封されている。
　【００２４】
　この場合、本発明の薬物含有粘着シート用包材１には、図２に示すように、外面からの押圧によって、その内面には凹凸７が形成されている。
　【００２５】
　この凹凸７の形状は特に限定されるものではないが、具体的には、例えば、図１、図３および図４にそれぞれ示すように、直線状、破線状および点状などのほか、特定図形状（図５参照）更に波線状（図６参照）などが挙げられる。
　【００２６】
　図７は本発明の薬物含有粘着シート用包材の他の実施例を示す斜視図であり、図８は図７のＹ−Ｙ’線での断面図である。
　【００２７】
　図７および図８において、本発明の薬物含有粘着シート用包材１は、図１および図２に示す薬物含有粘着シート用包材１が外面からの押圧によって、その内面に凹凸７が形成されているのに代えて、微粒子の固着によって内面に凹凸７を形成した以外は、図１および図２の場合と同様なので、重複説明を省略する。
　【００２８】
　図９〜図１２は本発明の薬物含有粘着シート用包材のそれぞれ他の実施例を示す斜視図である。
　【００２９】
　この凹凸７の形状は、上述のもののほか、更に、例えば、全面にわたる点状（図７参照）、梨子地柄（図９参照）、微粒面状（図１０参照）、格子線状（図１１参照）、特定図形や文字の繰返し模様（図１２参照）などが挙げられるのであり、更に、これらの組み合わせの形状とすることができる。
　【００３０】
　つまり、本発明では薬物含有粘着シート用包材１には内面に微細な凹凸７が形成されておれば良く、この包材１の外面に凹凸が形成されているか否かは問うものではない。
　【００３１】
　そして、本発明において、薬物含有粘着シート用包材１内には薬物含有粘着シート２が内包、密封されているが、この包材１の内面は薬物含有粘着シート２の支持体３およびセパレータ５に点接触、もしくは線接触している。
　【００３２】
　このように包材１の内面が薬物含有粘着シート２に部分的に接触することによって、薬物含有粘着シート２から粘着剤がはみ出したり、可塑剤や液状物がにじみ出した場合にも、薬物含有粘着シート２が包材１の内面に粘着或いは付着し難くなり、薬物含有粘着シート２の使用時にその取り出しが至極容易となるのである。
　【００３３】
　又、本発明の薬物含有粘着シート用包材を製造するための材料としてはフィルム状或いはシート状のものであれば特に限定されるものではないが、ヒートシール性が有るものが好ましく、この観点から、具体的にはポリエチレンやサーリン、エチレン酢酸ビニル共重合体、エチレンビニルアルコール共重合体、ハイトロンなどのヒートシール性を有するプラスチックシートを用いた包装材料を用いることができる。特に、内包する薬物含有粘着シート１に含有される経皮吸収用薬物の揮散や分解などを防止するためには、ポリエステルフィルムや金属箔などの不透過性のフィルムを積層することが好ましい。
　【００３４】
　なお、揮散や分解をしない薬物であれば紙や不織布などの透過性のシートを積層してもよいことは云うまでもない。また、このフィルム状或いはシート状の材料の厚みは通常、１０〜２００μｍ程度のものを用いる。
　【００３５】
　薬物含有粘着シート用包材１の内面に微細な凹凸７を形成する方法としては特に限定されるものではないが、この図１および図２の実施例では、包材１に凹凸７を形成する方法としては、所望形状に刻印されたロールやプレスなどによって包装前の包材７に押圧処理を施す方法などが採用できるので、ロールやプレス板の改造だけで既存の装置を使用することができるので極めて経済的であり、一方、図７および図８の実施例ではエンボス加工を施す方法が採用されている。
　【００３６】
　この実施例では、この凸部が内面全体の５〜８０％の範囲になるように調節されている。
　【００３７】
　又、薬物含有粘着シート用包材１の内面に微細な凹凸７を形成する他の方法としては、当該薬物含有粘着シート用包材１の内面に、印刷によって、微細な凹凸７を形成しても良いのである。この場合、この包材１の内面における微細な凹凸７が、発泡性樹脂で形成されたインキを用いて印刷され、且つこの印刷部の発泡によって形成されているものが、発泡剤の種類や配合割合を調節することによって、発泡量、つまり凹凸７の高さを任意に変更できるので有益である。
　【００３８】
　更に、薬物含有粘着シート用包材１の内面に微細な凹凸７を形成する更に他の方法としては、当該薬物含有粘着シート用包材１の内面における微細な凹凸７が、包材の内面に積層した微細な凹凸形成部材によって形成しても良いのである。この微細な凹凸形成部材としては特に限定されるものではないが、特に織布又は不織布が廉価であり、しかも熱可塑性樹脂で形成されたものであれば容易にラミネートできるので望ましい。
　【００３９】
　　【発明の効果】
　以上のように本発明の薬物含有粘着シート用包材によれば、側面からの糊はみ出しが起こりやすい薬物含有粘着シートや、可塑剤や液状成分がにじみ出しやすい薬物含有粘着シートを包装した場合にも包材の内面に粘着或いは付着しにくくなるので、内包された薬物含有粘着シートを使用する際に取り出し易いという効果を奏するものである。
【図面の簡単な説明】
　【図１】本発明の薬物含有粘着シート用包材の実施例を示す斜視図である。
　【図２】図１のＸ−Ｘ’線での断面図である。
　【図３】本発明の薬物含有粘着シート用包材の他の実施例を示す斜視図である。
　【図４】本発明の薬物含有粘着シート用包材の他の実施例を示す斜視図である。
　【図５】本発明の薬物含有粘着シート用包材の他の実施例を示す斜視図である。
　【図６】本発明の薬物含有粘着シート用包材の他の実施例を示す斜視図である。
　【図７】本発明の薬物含有粘着シート用包材の他の実施例を示す斜視図である。
　【図８】図７のＹ−Ｙ’線での断面図である。
　【図９】本発明の薬物含有粘着シート用包材の他の実施例を示す斜視図である。
　【図１０】本発明の薬物含有粘着シート用包材の他の実施例を示す斜視図である。
　【図１１】本発明の薬物含有粘着シート用包材の他の実施例を示す斜視図である。
　【図１２】本発明の薬物含有粘着シート用包材の他の実施例を示す斜視図である。
　【符号の説明】
１　薬物含有粘着シート用包材
２　薬物含有粘着シート
３　支持体
４　粘着剤層
５　セパレータ
６　ヒートシール部
７　凹凸